(57)【要約】【課題】防犯用の防犯スイッチが多数設けられたセキュリティ装置であっても、何れの防犯スイッチがオンオフされたかを特定してオンオフ検出でき、且つ簡単に取り付け可能な防犯スイッチシステム、及びこのシステムで適用される防犯スイッチを提供する。【解決手段】防犯スイッチ１のスイッチ本体１１は、マグネット１２の接離によりオンオフするスイッチＳＷ１と、スイッチＳＷ１と並列に接続される抵抗体Ｒｐ１と、スイッチＳＷ１と直列に接続され、抵抗体Ｒｐ１と異なる抵抗値の抵抗体Ｒｓ１と、を備える。スイッチＳＷ１は、磁性体で構成され、所謂リードスイッチである。マグネット１２は、スイッチ本体１１の外部でスイッチＳＷ１に近接した位置に設けられている。スイッチＳＷ１がオンということは、スイッチＳＷ１が閉じていることを意味し、防犯スイッチ１がオンということを意味する。【選択図】図２
2007109581.tif 000002
【特許請求の範囲】
【請求項１】
ドア又は窓などの開閉に連動してオンオフするスイッチを有し、直列に複数接続した防犯スイッチと、
前記防犯スイッチ全ての合成抵抗値を検出する検出手段を有するセキュリティ装置と、を備える防犯スイッチシステムにおいて、
前記防犯スイッチ各々は、前記スイッチと並列に接続され、抵抗値が各々異なる第一の抵抗体を有し、
前記防犯スイッチは、前記スイッチと直列に接続され、前記第一の抵抗体と異なる抵抗値の第二の抵抗体を有し、
前記セキュリティ装置の前記検出手段は、検出された前記合成抵抗値から、前記防犯スイッチ各々のオンオフ状態と、該防犯スイッチ各々がショートしているか否かと、を検出する防犯スイッチシステム。
【請求項２】
ドア又は窓などに連動してオンオフするスイッチを備える防犯スイッチにおいて、
前記スイッチと並列に接続された第一の抵抗体と、
前記スイッチと直列に接続され、前記第一の抵抗体と異なる抵抗値の第二の抵抗体と、を備える防犯スイッチ。
【請求項３】
スイッチ本体内に収納され、前記スイッチと、前記第一の抵抗体と、前記第二の抵抗体と、が接続された第一のラインと、
前記スイッチ本体内に収納され、前記第一のラインと閉ループを構成するための第二のラインと、
前記スイッチ本体の両側部に設けられ、前記第一のラインと前記第二のラインとのそれぞれの両端が接続され、平行ケーブルが前記スイッチ本体外から接続可能な接続端子と、を備える請求項２に記載の防犯スイッチ。
【発明の詳細な説明】
【技術分野】
【０００１】
本発明は、複数設置された防犯スイッチ各々のスイッチのオンオフ等を検出する防犯スイッチシステム、およびこの防犯スイッチシステムで適用される防犯スイッチに関するものである。
【背景技術】
【０００２】
従来より、住宅や事務所などのドア又は窓などに設置され、そのドア又は窓などの開閉に連動してオンオフするスイッチを有する防犯用の防犯スイッチと、この防犯スイッチのスイッチがオンオフすることでドア又は窓などの開閉を検出すると、警報音を発生させるセキュリティ装置と、を備え、防犯を行う防犯スイッチシステムがある。
【０００３】
防犯スイッチは、直列又は並列に複数接続され、さらにセキュリティ装置に接続され、閉回路が構成される。セキュリティ装置には、防犯スイッチのオンオフ、即ち、閉回路のオンオフを検出する検出手段と、検出手段からの検出信号により警報音を発生する報知手段等が設けられる。
【０００４】
このような防犯スイッチシステムにおいて、防犯スイッチが設置された窓や戸等が開けられることにより、設置された防犯スイッチのいずれかひとつがオン（又はオフ）になると、セキュリティ装置は、窓、戸が開いた状態であることを検出し、警報音を発生させる。
【０００５】
一方、特許文献１に記載されたような防犯スイッチシステム（スイッチ動作検出装置）が提案されている。
この防犯スイッチシステムは、複数の防犯スイッチと、該防犯スイッチのそれぞれに直列接続された定電流素子と、回路全体に流れる電流値を検出する電流測定部と、を備える。
【０００６】
防犯スイッチが設置された何れかの窓、ドアが開けられ、防犯スイッチのひとつがオフされると、オフした防犯スイッチに直列接続されている定電流素子に電流が流れなくなる。すると、電流測定部では、この分を除いた電流値の合計が計測される。この電流値により、防犯スイッチがオフしたのかが検出できる。
【特許文献１】特開２００２−２３１０８３公報
【発明の開示】
【発明が解決しようとする課題】
【０００７】
しかしながら、従来の防犯スイッチシステムにおいて、窓、戸の何れかがオンオフ状態であることは検出することができるが、オンオフ状態の窓、戸等を特定して検出することはできなかった。このため、警報音が鳴動した場合、何れの窓、ドア等が開けられたか判明できず、防犯用の防犯スイッチを設置した窓、戸が多数である場合、防犯の対応が迅速にできないという問題があった。また、防犯スイッチシステムを停止状態から作動状態としたときに、警報音が鳴動した場合、何れの窓、ドアが施錠されていないか即座に判断できず、総ての窓、ドアの施錠を再確認しなければならないという問題もあった。
【０００８】
また、特許文献１においても、窓、戸の何れかがオンオフ状態であることは検出することができるが、何れの防犯スイッチがオフしたのかを検出できない点同様である。よって、上記従来の防犯スイッチシステムと同様の問題がある。
【０００９】
本発明はこのような従来の課題を解決しようとするものであり、防犯用の防犯スイッチが多数設けられたセキュリティ装置であっても、何れの防犯スイッチがオンオフされたかを特定してオンオフ検出できる防犯スイッチシステム、及びこのシステムで適用される防犯スイッチを提供することを目的とする。
【課題を解決するための手段】
【００１０】
本発明の防犯スイッチは、前記課題を解決するために以下の構成を備えている。
【００１１】
（１）ドア又は窓などの開閉に連動してオンオフするスイッチを有し、直列に複数接続した防犯スイッチと、
前記防犯スイッチ全ての合成抵抗値を検出する検出手段を有するセキュリティ装置と、を備える防犯スイッチシステムにおいて、
前記防犯スイッチ各々は、前記スイッチと並列に接続され、抵抗値が各々異なる第一の抵抗体を有し、
前記防犯スイッチは、前記スイッチと直列に接続され、前記第一の抵抗体と異なる抵抗値の第二の抵抗体を有し、
前記セキュリティ装置の前記検出手段は、検出された前記合成抵抗値から、前記防犯スイッチ各々のオンオフ状態と、該防犯スイッチ各々がショートしているか否かと、を検出する。
【００１２】
この構成において、上記セキュリティ装置には、防犯スイッチがオンオフしたかを報知する報知手段を設けても良い。報知は、音で行うことが好ましいが、映像であっても構わない。もちろん両方兼ね備えていても構わない。音であれば、報知手段は、音声信号を生成し、警報音を外部に発生する手段ということになる。映像であれば、報知手段は、映像信号を生成し、映像を表示する手段ということになる。
通常時の防犯スイッチがオフであり、何れかの防犯スイッチがオンされると、その防犯スイッチの第一の抵抗体の抵抗値分が検出されなくなるため、セキュリティ装置は、その時の合成抵抗値からオンされた防犯スイッチを特定して検出する。さらに、セキュリティ装置は、報知手段によって、警報音を外部に発生し、どの防犯スイッチがオンされたかを表示すると良い。
逆に、通常時の防犯スイッチがオンであり、何れかの防犯スイッチがオフされると、その防犯スイッチの第一の抵抗体の抵抗値分が検出されるため、セキュリティ装置は、その時の合成抵抗値からオフされた防犯スイッチを特定して検出する。さらに、セキュリティ装置は、報知手段によって、警報音を外部に発生し、どの防犯スイッチがオフされたかを表示すると良い。
以上より、防犯スイッチシステムは、防犯用の防犯スイッチが多数設けられたセキュリティ装置であっても、何れの防犯スイッチがオンオフされたかを特定して検出できる。従って、警報音が鳴動した場合、何れの窓、ドア等が開けられたか判明できるため、防犯の対応が迅速にできるという効果を奏する。また、防犯スイッチシステムを停止状態から作動状態としたときに、警報音が鳴動した場合、何れの窓、ドアが施錠されていないか即座に判断できるという効果を奏する。また、防犯スイッチ内部に各々の防犯スイッチを識別するための第一の抵抗体を備えたため、防犯スイッチシステム設置業者やユーザが、防犯スイッチを設置するだけで、当該システムを簡単に取り付けることができるという効果を奏する。また、この設置の際、防犯スイッチ各々を直列に接続するだけであるため、各防犯スイッチ間の配線が簡素化出来るという効果を奏する。また、各防犯スイッチ間の配線がどこかで切断されると電流が流れなくなる。そのため、各防犯スイッチ間の配線が切断されたことも検出できるという効果を奏する。
【００１３】
一方、この構成では、防犯スイッチの第一の抵抗体と第ニの抵抗体との抵抗値が異なっている。このため、防犯スイッチがオン又はオフしたのか、防犯スイッチがショートしたのかが容易に判別つく。
何れかの防犯スイッチがショートすると、その防犯スイッチの第一の抵抗体と第ニの抵抗体との抵抗値分が検出されなくなるため、セキュリティ装置は、どの防犯スイッチがショートしたかを特定できる。
以上により、防犯スイッチシステムは、防犯用の防犯スイッチが多数設けられたセキュリティ装置であっても、何れの防犯スイッチがショートしたかを特定できるという効果を奏する。
【００１４】
（２）ドア又は窓などに連動してオンオフするスイッチを備える防犯スイッチにおいて、
前記スイッチと並列に接続された第一の抵抗体と、
前記スイッチと直列に接続され、前記第一の抵抗体と異なる抵抗値の第二の抵抗体と、を備える。
【００１５】
この構成において、防犯スイッチは、上記（１）の防犯スイッチシステムに用いられる。
これにより、上記（１）と同様の効果を奏する。
【００１６】
（３）スイッチ本体内に収納され、前記スイッチと、前記第一の抵抗体と、前記第二の抵抗体と、が接続された第一のラインと、
前記スイッチ本体内に収納され、前記第一のラインと閉ループを構成するための第二のラインと、
前記スイッチ本体の両側部に設けられ、前記第一のラインと前記第二のラインとのそれぞれの両端が接続され、平行ケーブルが前記スイッチ本体外から接続可能な接続端子と、を備える。
【００１７】
従来の防犯スイッチでは、平行ケーブルが利用されることが多いが、平行ケーブルに接続する場合、平行ケーブルを裂く必要があることから、たるみが出来て美観が悪くなるという問題点があった。
そこで、この構成における防犯スイッチでは、平行ケーブルを裂くことなく接続できるよう、装置本体内部に第一のラインと第二のラインとの２本のラインを備えている。このため、従来の防犯スイッチを接続する際に見られるたるみができない。
以上より、上記防犯スイッチは、美観を損なうことなく、平行ケーブルの引き回しができるという効果を奏する。
【発明の効果】
【００１８】
この発明によれば、防犯用の防犯スイッチが多数設けられたセキュリティ装置であっても、何れの防犯スイッチがオンオフされたかを特定できるという効果を奏する。
【発明を実施するための最良の形態】
【００１９】
以下、本発明の第一の実施形態である防犯スイッチシステムについて説明する。
【００２０】
図１は、本発明の第一の実施形態である防犯スイッチシステムのシステム構成図である。
防犯スイッチシステム１００は、事務所４０１のドア４０２又は窓４０３Ａ〜Ｃに設置される４つ（複数）の防犯スイッチ１〜４と、防犯スイッチ１〜４によりドア４０２又は窓４０３Ａ〜Ｃの開閉を検出すると、警報音を発生させるセキュリティ装置１０１と、を備える。
防犯スイッチ１は、ドア４０２の可動側に設置され、ドア４０２の開閉に連動するマグネット１２と、ドア４０２の不動側に設置されるスイッチ本体１１と、を備える。
防犯スイッチ２〜４は、窓４０３Ａ〜Ｃに設置されている。防犯スイッチ２〜４は、窓４０３Ａ〜Ｃの可動側に設置され、窓４０３Ａ〜Ｃの開閉に連動するマグネット２２、３２、及び４２と、窓４０３Ａ〜Ｃの不動側に設置されるスイッチ本体１１と、を備える。
なお、この実施形態では、防犯スイッチシステム１００を事務所４０１に設置させているが、住宅でも構わない。
【００２１】
図２は、本発明の第一の実施形態である防犯スイッチシステムを構成するセキュリティ装置及び防犯スイッチのブロック図である。
防犯スイッチ１のスイッチ本体１１は、マグネット１２の接離によりオンオフするスイッチＳＷ１と、スイッチＳＷ１と並列に接続される抵抗体Ｒｐ１と、スイッチＳＷ１と直列に接続され、抵抗体Ｒｐ１と異なる抵抗値の抵抗体Ｒｓ１と、を備える。スイッチＳＷ１は、磁性体で構成され、所謂リードスイッチである。
マグネット１２は、スイッチ本体１１の外部でスイッチＳＷ１に近接した位置に設けられている。
スイッチＳＷ１がオンということは、スイッチＳＷ１が閉じていることを意味し、防犯スイッチ１がオンということを意味する。マグネット１２が接した時に、スイッチＳＷ１は、オンする。ドア４０２が開き、それに連動してマグネット１２が離れた時に、スイッチＳＷ１は、オフする。
【００２２】
防犯スイッチ２〜４の構成も、防犯スイッチ１と同様である。
ここで、この実施形態では、マグネット１２が接している通常時に防犯スイッチ１（スイッチＳＷ１）がオンであるが、マグネット１２が接している通常時に防犯スイッチ１（スイッチＳＷ１）がオフしても良い。この場合、スイッチＳＷ１とマグネット１２とは、互いに引き合う。
【００２３】
続いて、防犯スイッチ１〜４は、直列に接続されている。抵抗体Ｒｐ１〜Ｒｐ４の抵抗値が各々異なるように、防犯スイッチシステム１００を構築する。
【００２４】
抵抗体Ｒｐ１〜Ｒｐ４の抵抗値が各々異なり、抵抗体Ｒｐ１〜Ｒｐ４と抵抗体Ｒｓ１〜Ｒｓ４との抵抗値が異なるように設定するには、例えば次のように設定すると良い。抵抗体Ｒｐ１〜Ｒｐ４の抵抗値は、Ｒｐｎ＝２ｎＲ、つまり「Ｒｐ１＝２Ｒ、Ｒｐ２＝４Ｒ、Ｒｐ３＝８Ｒ、及びＲｐ４＝１６Ｒ」とする。そして、抵抗体Ｒｓ１〜Ｒｓ４の抵抗値は、Ｒｐｎ＝Ｒ、つまり「Ｒｓ１〜Ｒｓ４＝Ｒ」とする。
【００２５】
次に、セキュリティ装置１０１は、内蔵する直流電源（不図示）から防犯スイッチ１〜４全てに一定値（例えば１０ｍＡ）の電流を流し、電圧を検出する電圧測定部１０４と、電圧測定部１０４が検出した電圧をＡ／Ｄ変換するＡ／Ｄ変換部１０３と、Ａ／Ｄ変換部１０３がＡ／Ｄ変換した電圧を取り込み、防犯スイッチ１〜４全ての合成抵抗値に変換し、合成抵抗値を検出する制御部１０２と、装置本体１０１を動作させるための制御プログラムを格納するＥＥＰＲＯＭ１０７と、警報音を発生させるスピーカ１０６と、スピーカ１０６に音声信号を出力する音声出力部１０５と、映像を表示する表示部１０９と、映像信号を生成し、表示部１０９に出力する映像出力部１０８と、を備える。
【００２６】
スピーカ１０６、音声出力部１０５、表示部１０９、及び映像出力部１０８は、報知を行うための報知手段である。表示部１０９は、例えば液晶モニタである。
【００２７】
制御部１０２は、例えばマイクロコンピュータである。
制御部１０２は、検出された合成抵抗値から防犯スイッチ１〜４各々の環境を監視する。環境とは、防犯スイッチ１〜４のオンオフ状態、又は防犯スイッチ１〜４がショートしているか否かである。
【００２８】
制御部１０２が検出する合成抵抗値について、「Ｒｐ１＝２Ｒ、Ｒｐ２＝４Ｒ、Ｒｐ３＝８Ｒ、及びＲｐ４＝１６Ｒ」「Ｒｓ１〜Ｒｓ４＝Ｒ」を前提に、いくつか例示しながら説明する。
【００２９】
図３は、合成抵抗値と防犯スイッチ１〜４各々の環境との対応関係を示す表である。
図３（Ａ）は、検出された合成抵抗値と防犯スイッチ１〜４のオンオフ状態との対応関係を示しており、図３（Ｂ）は、検出された合成抵抗値と防犯スイッチ１〜４がショートしているか否かとの対応関係を示している。図中、○は、スイッチＳＷ１〜４がオンしていることを示し、×は、スイッチＳＷ１〜４がオフしていることを示し、△は、防犯スイッチ１〜４がショートしていることを示す。
【００３０】
何れかの防犯スイッチ１〜４がオフされた場合、その防犯スイッチ１〜４の抵抗体Ｒｐ１〜Ｒｐ４の抵抗値分が検出されるため、制御部１０２は、検出された合成抵抗値からどの防犯スイッチ１〜４がオフされたかを特定できる。
【００３１】
例えば、図３（Ａ）に示すように、防犯スイッチ１〜４が全てオンであれば、つまりＳＷ１〜４が全てオンであれば、合成抵抗値は４Ｒである。また、防犯スイッチ１のみがオフであれば、合成抵抗値は６Ｒである。また、防犯スイッチ２のみがオフであれば、合成抵抗値は８Ｒである。防犯スイッチ１、２のみがオフであれば、合成抵抗値は１０Ｒである。
【００３２】
ここで、この実施形態とは逆に、マグネット１２が接している通常時に防犯スイッチ１（スイッチＳＷ１）がオフする構成を取るのであれば、ドア４０２が開いて防犯スイッチ１（スイッチＳＷ１）がオンすると、制御部１０２では、抵抗体Ｒｐ１の抵抗値分が検出される仕組みとなる。
【００３３】
さらに、制御部１０２は、音声出力部１０５に音声信号を生成させ、警報音をスピーカ１０６から発生させる。この音声信号のデータは、ＥＥＰＲＯＭ１０７に記憶させておくと良い。音声出力部１０５は、制御部１０２の指示の下、ＥＥＰＲＯＭ１０７からこのデータを取り出し、D／A変換などを行い、音声信号を生成する。
【００３４】
併せて、制御部１０２は、どの防犯スイッチ１〜４がオフされたかを映像出力部１０８に指示し、映像信号を映像出力部１０８に生成させ、表示部１０９でその映像信号の映像を表示する。この表示は、例えば「防犯スイッチ３を設置した窓４０３Ｂが開いています」である。ＥＥＰＲＯＭ１０７は、この表示の基となるデータを記憶する。防犯スイッチ１〜４とドア４０２又は窓４０３との対応は、セキュリティ装置に操作部（不図示）を設け、該操作部でユーザに操作させることにより、予めＥＥＰＲＯＭ１０７に登録させておくと良い。
そして、映像出力部１０８は、上記映像信号を生成する際、制御部１０２の上記指示を基にＥＥＰＲＯＭ１０７から対応するデータを取り出し、取り出したデータをD／A変換等し、映像信号を生成する。
なお、上記表示は、ＯＳＤ（On  Screen  Display）表示であっても構わない。
【００３５】
以上より、防犯スイッチシステム１００は、多数の防犯スイッチ１〜４がセキュリティ装置１０１に設けられているが、何れの防犯スイッチ１〜４がオフされたかを特定できる。従って、警報音が鳴動した場合、何れの窓４０３Ａ〜Ｃ、ドア４０２が開けられたか判明できるため、防犯の対応が迅速にできるという効果を奏する。また、防犯スイッチシステム１００を停止状態から作動状態としたときに、警報音が鳴動した場合、何れの窓４０３Ａ〜Ｃ、ドア４０２が施錠されていないか即座に判断できるという効果を奏する。また、防犯スイッチ１〜４内部に各々の防犯スイッチ１〜４を識別するための抵抗体Ｒｐ１〜Ｒｐ４を備えているため、防犯スイッチシステム設置業者やユーザが、防犯スイッチ１〜４を設置するだけで、当該システム１００を簡単に取り付けることができるという効果を奏する。また、この設置の際、防犯スイッチ１〜４を直列に接続するだけであるため、防犯スイッチ１〜４間の配線が簡素化出来るという効果を奏する。また、防犯スイッチ１〜４間の配線がどこかで切断されると電流が流れなくなる。そのため、防犯スイッチ１〜４間の配線が切断されたことも検出できるという効果を奏する。
【００３６】
一方、何れの防犯スイッチ１〜４がショートすると、その防犯スイッチの抵抗体Ｒｐ１〜Ｒｐ４とＲｓ１〜Ｒｓ４との抵抗値分が検出されなくなるため、セキュリティ装置１０１は、どの防犯スイッチ１〜４がショートしたかを特定してショートを検出できる。防犯スイッチ１〜４の抵抗体Ｒｐ１〜Ｒｐ４と抵抗体Ｒｓ１〜Ｒｓ４との抵抗値が異なっているため、防犯スイッチ１〜４がオフしたのか、防犯スイッチ１〜４がショートしたのかが容易に判別つく。
【００３７】
例えば、図３（Ｂ）に示すように、防犯スイッチ１だけがショートしていれば、合成抵抗値は３１Ｒである。また、防犯スイッチ２だけがショートしていれば、合成抵抗値は２９Ｒである。また、防犯スイッチ３だけがショートしていれば、合成抵抗値は２５Ｒである。また、防犯スイッチ４だけがショートしていれば、合成抵抗値は１７Ｒである。ここで、抵抗体Ｒｐ１〜Ｒｐ４と抵抗体Ｒｓ１〜Ｒｓ４との抵抗値が、偶数と奇数で異なっているので、合成抵抗値も、図３（Ａ）（Ｂ）に示すように、偶数と奇数で検出される。偶数で防犯スイッチ１〜４がオフしたのかということが、奇数でショートしたということが判別つく。
【００３８】
このように、制御部１０２は、検出された合成抵抗値からどの防犯スイッチ１〜４がショートしたかを特定できる。
【００３９】
さらに、制御部１０２は、どの防犯スイッチ１〜４がショートしたのかを表示するための映像信号を映像出力部１０８に生成させ、表示部１０９でその映像信号の映像を表示する。この表示は、例えば「防犯スイッチ３がショートしています」である。
【００４０】
以上により、防犯スイッチシステム１００は、多数の防犯スイッチ１〜４がセキュリティ装置１０１に設けられているが、何れの防犯スイッチ１〜４がショートしたかを特定できるという効果を奏する。
【００４１】
ここで、電圧測定部１０４、Ａ／Ｄ変換部１０３、及び制御部１０２が、本発明の「検出手段」に相当する。抵抗体Ｒｐ１〜Ｒｐ４が、本発明の「第一の抵抗体」に相当する。抵抗体Ｒｓ１〜Ｒｓ４が、本発明の「第二の抵抗体」に相当する。
【００４２】
以下、本発明の第二の実施形態である防犯スイッチについて説明する。まず、従来の防犯スイッチの問題点について説明し、その後、本発明の第二の実施形態である防犯スイッチについて説明する。
【００４３】
図４は、従来の防犯スイッチに平行ケーブルを接続した時の様子を示す概念図である。
従来の防犯スイッチ３０１、及び３０２は、図４に示すように、平行ケーブル３１６で直列に接続されている。
従来の防犯スイッチ３０１、及び３０２を接続するためには、従来の防犯スイッチ３０１を接続するために平行ケーブル３１６を裂く必要があり、平行ケーブル３１６Ａに図４に示すようなたるみ３１３が出来てしまう。
このように、従来の防犯スイッチ３０１、及び３０２は、平行ケーブル３１６に接続する場合、たるみ３１３が出来て美観が悪くなるという問題点があった。
【００４４】
図５は、本発明の第二の実施形態である防犯スイッチに平行ケーブルを接続した時の様子を示す図である。
図５（a）は、本発明の第二の実施形態である防犯スイッチ２０１の構成を示した概念図であり、図５（b）は、防犯スイッチ２０１、２０２に平行ケーブルを接続した時の様子を示す図である。
【００４５】
防犯スイッチ２０１は、スイッチ本体２１１と、マグネット２１２と、を備える。
マグネット２１２は、図２で示す防犯スイッチ１〜４と同じ構成である。
スイッチ本体２１１は、内部に、往路２１４と、往路２１４と閉ループを構成するための復路２１３と、を備える。また、スイッチ本体２１１は、スイッチ本体２１１の両側部に設けられ、往路２１４と復路２１３とのそれぞれの両端が接続され、平行ケーブル２１６がスイッチ本体２１１外から接続可能な接続端子２１８、２１９と、を備える。
【００４６】
往路２１４は、図２で示す防犯スイッチ１〜４と同様に、スイッチＳＷ２０１と、抵抗体Ｒｐ２０１と、抵抗体Ｒｓ２０１と、が接続されている。
【００４７】
つまり、防犯スイッチ２０１は、平行ケーブル２１６を裂くことなく接続できるよう、装置本体内部に往路２１４と、復路２１３との２本のラインを備えている。
図５（b）の防犯スイッチ２０２の構成についても、防犯スイッチ２０１と同じである。
【００４８】
そして、接続端子２１８に平行ケーブル２１６Ｂを接続し、接続端子２１９に平行ケーブル２１６Ａを接続すると、図５（b）に示すような様子となる。
防犯スイッチ２０１、２０２では、図５（b）に示すように、平行ケーブル２１６を裂くことなく接続できるため、従来の防犯スイッチ３０１、及び３０２を接続する際に見られるたるみ３１３ができない。従って、美観を損なうことなく、平行ケーブル２１６の引き回しができる。
【００４９】
以上より、防犯スイッチ２０１、２０２は、美観を損なうことなく、平行ケーブル２１６の引き回しができるという効果を奏する。
【００５０】
なお、平行ケーブル２１６の引き回しを行う際、閉ループを構成するために、末端の防犯スイッチ２０２には、往路の接続端子と復路の接続端子とを結ぶループ２１７を設ける。このループ２１７は、防犯スイッチ２０１であれば、接続端子２１８Ａと接続端子２１９Ａとを結ぶことに相当する。ループ２１７は、接続端子２１８Ａと接続端子２１９Ａとを短絡できるのであれば、どのような材質でも構わない。半田付けしても良く、平行ケーブル２１６を利用しても良い。
【００５１】
ここで、往路２１４が、本発明の「第一のライン」に相当する。復路２１３が、本発明の「第二のライン」に相当する。
【図面の簡単な説明】
【００５２】
【図１】本発明の第一の実施形態である防犯スイッチシステムのシステム構成図
【図２】本発明の第一の実施形態である防犯スイッチシステムを構成するセキュリティ装置及び防犯スイッチのブロック図
【図３】合成抵抗値と防犯スイッチ１〜４各々の環境との対応関係を示す表
【図４】従来の防犯スイッチに平行ケーブルを接続した時の様子を示す概念図
【図５】本発明の第二の実施形態である防犯スイッチに平行ケーブルを接続した時の様子を示す図
【符号の説明】
【００５３】
１−防犯スイッチ
ＳＷ１−スイッチ
Ｒｐ１−抵抗体
Ｒｓ１−抵抗体
２−防犯スイッチ
ＳＷ２−スイッチ
Ｒｐ２−抵抗体
Ｒｓ２−抵抗体
３−防犯スイッチ
ＳＷ３−スイッチ
Ｒｐ３−抵抗体
Ｒｓ３−抵抗体
４−防犯スイッチ
ＳＷ４−スイッチ
Ｒｐ４−抵抗体
Ｒｓ４−抵抗体
１１−スイッチ本体
１２−マグネット
２１−スイッチ本体
２２−マグネット
３１−スイッチ本体
３２−マグネット
４１−スイッチ本体
４２−マグネット
１００−防犯スイッチシステム
１０１−セキュリティ装置
１０２−制御部
１０３−Ａ／Ｄ変換部
１０４−電圧測定部
１０５−音声出力部
１０６−スピーカ
１０７−ＥＥＰＲＯＭ
１０８−映像出力部
１０９−表示部
２０１−防犯スイッチ
ＳＷ２０１−スイッチ
Ｒｐ２０１−抵抗体
Ｒｓ２０１−抵抗体
２０２−防犯スイッチ
２１１−スイッチ本体
２１２−マグネット
２１３−復路
２１４−往路
２１６−平行ケーブル
２１７−ループ
２１８−接続端子
２１９−接続端子
３０１−従来の防犯スイッチ
３０２−従来の防犯スイッチ
３１３−たるみ
３１６−平行ケーブル
４０１−事務所
４０２−ドア
４０３Ａ−窓
４０３Ｂ−窓
４０３Ｃ−窓
【図１】
2007109581.tif 000003
【図２】
2007109581.tif 000004
【図３】
2007109581.tif 000005
【図４】
2007109581.tif 000006
【図５】
2007109581.tif 000007